(57)【要約】      （修正有）【課題】移動効率が高く、便利である栽培槽移動機構を提供する。【解決手段】移動機構は、水槽１と、第１方向に沿って水槽内に間隔を置いて平行に設けられ且つ第１方向に垂直する第２方向に沿って延伸して設けられる多数の移動機構２と、第２方向に沿って移動可能に多数の移動機構に設けられる多数の栽培槽３と、隣り合っている２つの栽培槽に設けられて隣り合っている２つの栽培槽を連動する連動モジュール４と、を含む。１つの栽培槽を移動する時、隣り合っている栽培槽は連動モジュールによって連動と接続が実現されているので、移動される栽培槽はその他の栽培槽を一緒に移動して動かすことができる。【選択図】図１
0003230704.tif 000002
【実用新案登録請求の範囲】
【請求項１】
水槽と、
第1方向に沿って水槽内に間隔を置いて平行に設けられて且つ前記第1方向に垂直する第2方向に沿って延伸して設けられる多数の移動機構と、
前記第2方向に沿って移動可能に多数の前記移動機構に設けられる多数の栽培槽と、
隣り合っている2つの前記栽培槽に設けられて隣り合っている2つの前記栽培槽の連動を実現する連動モジュールと、
を含むことを特徴とする栽培槽移動機構。
【請求項２】
前記移動機構は、
底壁及び底壁の同じな側に取り付けられる２つの側壁を含む取付ケースと、
前記第2方向に沿って間隔を置いて設けられて且つ自身の軸線をめぐって回転可能に2つの前記側壁に設けられる若干のローラーと、
を含むが、前記栽培槽が前記ローラーに支えられていることを特徴とする請求項1に述べられた栽培槽移動機構。
【請求項３】
前記移動機構は3つとなっているが、3つの前記移動機構は前記第1方向に沿って間隔を置いて平行に設けられて、そのうちに、1つの前記移動機構が前記水槽の中間に設けられて、その他の2つの前記移動機構が前記水槽の壁に近づけて設けられることを特徴とする請求項2に述べられた栽培槽移動機構。 
【請求項４】
前記連動モジュールは、
隣り合っている2つの前記栽培槽の1つに設けられる係止孔と、
接続板を経由して隣り合っている2つの前記栽培槽の別の1つに設けられるロックピンと、
を含むことを特徴とする請求項1に述べられた栽培槽移動機構。
【請求項５】
前記第2方向に沿う全ての前記栽培槽の両端にそれぞれ前記係止孔と前記ロックピンを設けて、隣り合っている2つの前記栽培槽において、前記係止孔を設けている端と前記ロックピンを設けている端が互いに隣接することを特徴とする請求項4に述べられた栽培槽移動機構。
【請求項６】
前記栽培槽は、
前記栽培槽の上下表面を貫通して設けられる若干の栽培孔と、
前記第2方向に沿って間隔を置いて平行に設けられて、且つ前記第1方向に沿って延伸して設けられる第1凹み溝と、
を含むことを特徴とする請求項1に述べられた栽培槽移動機構。
【請求項７】
前記栽培槽にはまた前記第1方向に対して第1角度となる方向に沿って設けられる第2凹溝を含んで、前記第2凹溝が点線溝であることを特徴とする請求項6に述べられた栽培槽移動機構。
【請求項８】
前記栽培槽にはまた前記第1方向に対して第2角度となる方向に沿って設けられる第3凹溝を含んで、前記第1角度と前記第2角度が同じではなくて、前記第3凹溝が点線溝であることを特徴とする請求項7に述べられた栽培槽移動機構。
【請求項９】
前記第1角度が45°となって、前記第2角度が135°となることを特徴とする請求項8に述べられた栽培槽移動機構。
【考案の詳細な説明】
【技術分野】
【０００１】
本実用新案は栽培技術分野に関わるものであるが、特に栽培槽移動機構に関わるものである。
【背景技術】
【０００２】
当面、水槽に多数の栽培槽を入れて無土壌栽培を行っている。
【考案の概要】
【考案が解決しようとする課題】
【０００３】
しかし、当面技術によって、多数の栽培槽を入れた後に、移動しようとする場合、手動で行う必要がある。栽培槽の手動移動は、一回で１つの栽培槽しか移動することができないので、移動効率が低くて、不便である。
【０００４】
本実用新案の目的は、当面の技術によって栽培槽を手動で移動する時に、一回で１つの栽培槽しか移動することができなくて、移動効率が低くて不便だという問題を解決するように、栽培槽移動機構を提供することにある。
【課題を解決するための手段】
【０００５】
上記の技術問題を解決するために、本実用新案に採用される技術案は、
水槽と、
第1方向に沿って水槽内に間隔を置いて平行に設けられて且つ前記第1方向に垂直する第2方向に沿って延伸して設けられる多数の移動機構と、
前記第2方向に沿って移動可能に多数の移動機構に設けられる多数の栽培槽と、
隣り合っている2つの前記栽培槽に設けられて隣り合っている2つの前記栽培槽の連動を実現する連動モジュールと、
を含む栽培槽移動機構を提供する。
【０００６】
本実用新案のある実施例では、前記移動機構は、
底壁及び底壁の同じな側に取り付けられる２つの側壁を含む取付ケースと、
前記第2方向に沿って間隔を置いて設けられて、且つ自身の軸線をめぐって回転可能に2つの前記側壁に設けられる若干のローラーと、
を含むが、前記栽培槽が前記ローラーに支えられている。
【０００７】
本実用新案のある実施例では、前記移動機構は3つとなっているが、3つの前記移動機構は前記第1方向に沿って間隔を置いて平行に設けられて、そのうちに、1つの前記移動機構が前記水槽の中間に設けられて、その他の2つの前記移動機構が前記水槽の壁に近づけて設けられる。
【０００８】
本実用新案のある実施例では、前記連動モジュールは、
隣り合っている2つの前記栽培槽の1つに設けられる係止孔と、
接続板を経由して隣り合っている2つの前記栽培槽の別の1つに設けられるロックピンと、
を含む。
【０００９】
本実用新案のある実施例では、前記第2方向に沿う全ての前記栽培槽の両端にそれぞれ前記係止孔と前記ロックピンを設けて、隣り合っている2つの前記栽培槽において、前記係止孔を設けている端と前記ロックピンを設けている端が互いに隣接する。
【００１０】
本実用新案のある実施例では、前記栽培槽に、
前記栽培槽の上下表面を貫通して設けられる若干の栽培孔と、
前記第2方向に沿って間隔を置いて平行に設けられて、且つ前記第1方向に沿って延伸して設けられる第1凹み溝と、を含む。
【００１１】
本実用新案のある実施例では、前記栽培槽にはまた前記第1方向に対して第1角度となる方向に沿って設けられる第2凹溝を含んで、前記第2凹溝が点線溝である。
【００１２】
本実用新案のある実施例では、前記栽培槽にはまた前記第1方向に対して第2角度となる方向に沿って設けられる第3凹溝を含んで、前記第1角度と前記第2角度が同じではなくて、前記第3凹溝が点線溝である。
【００１３】
本実用新案のある実施例では、前記第1角度が45°となって、前記第2角度が135°となる。
【考案の効果】
【００１４】
本実用新案の有益な効果は下記のとおりである。
【００１５】
当面の技術との区別として、本実用新案を実際に使う時、１つの栽培槽だけを移動する必要があるが、隣り合っている栽培槽は連動モジュールによって連動と接続を実現して、移動される栽培槽はその他の栽培槽を一緒に移動するように動かすことができるため、移動効率が高くて、わりに便利である。
【図面の簡単な説明】
【００１６】
更に本実用新案の実施例や当面技術の技術方案を明確に説明するために、次には実施例や当面技術の説明で使われる添付図面を簡単に述べるが、下記に説明される添付図面が本実用新案の一部の実施例だけで、当分野の普通の技術者にとって、創造的な労働をせず、これらの添付図面によって更にその他の添付図面を受けることは明らかなことである。
【００１７】
【図１】図1は本実用新案のある実施例による栽培槽移動機構の構造説明図である。
【実施例】
【００１８】
本実用新案の上記の目的、特徴と美点を更に明らかでわかりやすくするために、次には添付図を結び付けて本実用新案の実施例を詳しく説明する。本実用新案を十分に理解するように、下記の説明にはとても多くの具体的な細い点を詳しく述べる。しかし本実用新案はここで述べる実施例と異なる方式で実施することができるが、本分野の技術者は本実用新案の内包に反しない上で類似の改善を行うことができるので、本実用新案は下記に開示する実施例に制限を受けないものである。
【００１９】
本実用新案の説明に、理解しなければならないのは、用語の「中心」、「縦方向」、「横方向」、「長さ」、「幅」、「厚さ」、「上」、「下」、「前」、「後」、「左」、「右」、「縦」、「水平」、「トップ」、「底」、「内」、「外」、「時計方向」、「反時計方向」、「軸方向」、「径方向」、「周方向」などの指示方位や位置の関係は添付図に示される方位や位置の関係に基づくものであるが、装置や部品に特定の方位を備えて特定の方位で構造と操作を行わなければならないことを指示したり暗示したりすることではなくて、本実用新案の説明や説明の簡略化に便宜を図るためだけのものなので、本実用新案に対する制限だと理解してはいけない。
【００２０】
また、用語の「第1」、「第2」は説明だけに用いられるが、重要性を指示したり暗示したりすることや指示した技術特徴の数量を暗示すると理解してはいけない。これによって、「第1」、「第2」に限定される特徴は少なくとも１つのこの特徴を含んでいることを明示したり暗示したりすることができる。本実用新型の説明には、別途に明確で具体的な限定がない限り、「多数」の意味は2つ、3つなど、少なくとも2つである。
【００２１】
本実用新案では、別途に明確な規定と限定がない限り、用語の「取付」、「連接」、「接続」、「固定」などの用語は広義的に理解するべきであるが、例えば、固定して接続することでもよいし、解体可能に接続することや一体になることでもよい。機械的な接続でもよいし、電気的な接続でもよい。直接に連接することでもよいし、中間の媒質を経由して間接的に連接することでもよいし、２つの素子の内部連通や２つの素子の相互作用関係でもよい。本分野の普通の技術者にとって、具体的な情況によって上記の用語の本実用新案における具体的な意味を理解することができる。
【００２２】
本実用新案では、別途に明確な規定と限定がない限り、第1特徴が第2特徴の「上」や「下」の場合、第1と第2特徴が直接に接触することでもよいし、第1と第2特徴が中間の媒質を経由して間接的に接触することでもよい。また、第1特徴が第2特徴の「上」、「上方」の場合、第1特徴が第2特徴の上方や斜め上方にあることでもよいし、第1特徴の水平の高さが第2特徴より高いことだけを表すことでもよい。第1特徴が第2特徴の「下」、「下方」の場合、第1特徴が第2特徴の下方や斜め下方にあることでもよいし、第1特徴の水平の高さが第2特徴より低いことだけを表すことでもよい。
【００２３】
説明しなければならないのは、素子が別の素子に「固定される」または「設けられる」場合、それは直接に別の素子の上にあることでもよいし、その間に素子が存在することでもよい。ある素子が別の素子に「接続する」場合、それは直接に別の素子に接続していることでもよいし、その間に素子が存在することでもよい。本文に使われる用語の「垂直」、「水平」、「上」、「下」、「左」、「右」及び類似の説明は説明のためだけであるが、決して唯一の実施例だとは表さない。
【００２４】
図1に示されるように、本実用新案のある実施例に提供される栽培槽移動機構は、水槽1、移動機構2、栽培槽3及び連動モジュール4を含む。多数の移動機構2は第1方向に沿って間隔を置いて平行に水槽1内に設けられて、各移動機構2は第1方向に垂直する第2方向に沿って延伸して設けられる。多数の栽培槽3は第2方向に沿って移動可能に多数の移動機構2に設けられる。連動モジュール4は隣り合っている2つの栽培槽3に設けられて、隣り合っている2つの栽培槽3の連動を実現する。
【００２５】
説明しなければならないことは、第1方向が水槽1の幅方向でもよいが、第2方向が水槽1の長辺方向でもよい。
【００２６】
上記の栽培槽移動機構は、実際に使う時、１つの栽培槽3だけを移動する必要があるが、隣り合っている栽培槽3は連動モジュール4によって連動と接続を実現して、移動される栽培槽3はその他の栽培槽3を一緒に移動するように動かすことができるため、移動効率が高くて、わりに便利である。
【００２７】
本実用新案の実施例では、移動機構2は取付ケース21と若干のローラー22を含む。取付ケース21は凹字形を呈して、底壁と底壁の同じな側に設けられる２つの側壁を含む。若干のローラー22は第2方向に沿って間隔を置いて設けられて、且つ全てのローラー22は自身の軸線をめぐって回転可能に２つの側壁に設けられるが、栽培槽3はローラー22に支えられる。このようにすると、栽培槽3はローラー22で移動できる。
【００２８】
更に、移動機構2は3つがあるが、3つの移動機構2は第1方向に沿って間隔を置いて平行に設けられており、そのうち、１つの移動機構2は水槽1の中間に設けられて、その他の２つの移動機構2は水槽1の壁に近づけて設けられる。このようにすると、3つの移動機構2は栽培槽3を力強く支えて、栽培槽3の中部が凹むことを防止して、同時にまたコストを節約することができる。
【００２９】
本実用新案の実施例では、連動モジュール4は係止孔41とロックピン43を含む。係止孔41は隣り合っている２つの栽培槽3の1つに設けられており、ロックピン43は接続板42を経由して隣り合っている２つの栽培槽3の別の1つに設けられる。このようにすると、ロックピン43を係止孔41に挿し込むことによって、２つの栽培槽3の高速接続を実現することができるが、連動方式が簡単で、使用が便利である。
【００３０】
具体的な実施例では、前記第2方向に沿う全ての栽培槽3の両端にそれぞれロックピン43と係止孔41を設けて、隣り合っている2つの栽培槽3において、ロックピン43を設けている端と係止孔41を設けている端が互いに隣接する。
【００３１】
本実用新案の実施例では、栽培槽には若干の栽培孔34と第1凹溝31を含む。若干の栽培孔34は栽培槽3の上下表面を貫通して設けられる。若干の第1凹溝31は第2方向に沿って間隔を置いて平行に設けられており、全ての第1凹溝31は第1方向に沿って延伸して設けられる。第1凹溝31の設置によって、栽培槽3の強度を強化して、若干の栽培孔34を設けることによって栽培槽3が変形しやすいことを防止することができる。
【００３２】
更に、栽培槽3にはまた第2凹溝32を含んで、第2凹溝32は第1方向に対して第1角度となる方向に沿って設けられて、第2凹溝32が点線溝である。このようにすると、栽培槽3の強度を更に強化することができる。
【００３３】
更に、栽培槽3にはまた第3凹溝33を含んで、第3凹溝33は第1方向に対して第2角度となる方向に沿って設けられて、第1角度と第2角度が同じではなくて、第3凹溝33が点線溝である。このようにすると、栽培槽3の強度を更に強化することができる。
【００３４】
更に、第1角度が45°となって、第2角度が135°となる。
【００３５】
上記の実施例の各技術特徴は任意に組合せを行うことができるが、説明に便宜を図るように、上記の実施例の各技術特徴の全ての可能な組合せを説明しない。しかし、これらの技術特徴の組合せに対立が出ないのでさえあれば、本明細書に記載される範囲だと認めるべきである。
【００３６】
上記の実施例は本実用新案のいくつかの実施例だけを表して、その説明がわりに具体的で詳しいが、それによって本実用新案の範囲に対する制限だと理解してはいけない。本分野の普通の技術者にとって、本実用新案の構想を逸脱しない前提で、更に若干の変形と改善を行うことができるが、これらの変形と改善が本実用新案の請求の範囲にあることは言うまでもない。そのため、本実用新案の請求範囲は権利項に準じる。
【図１】
0003230704.tif 000003